(57)【要約】【課題】本発明は、例えば、食品等の生産工場で２室間を貫通して製品を搬送する場合に、前記両室の境に設けられる防火区画壁の開口部からの延焼を効果的に防止することが課題である。【解決手段】防火区画壁２と、該防火区画壁の一部に設けられ隣接する室内間に連通する開口部５と、前記防火区画壁の片側で前記開口部の上部位置に載置された容器内に貯留された充填材７，８と、前記充填材が落下した際にこれを受け止めるように前記開口部の下位置に配設された受け部材９と、熱により前記容器の蓋を開放させて前記充填材を落下させるトリガー部材１０，１１，１５とから構成される防火区画装置１とする。【選択図】  図１
2005013569.tif 000002
【特許請求の範囲】
【請求項１】
防火区画壁と、該防火区画壁の一部に設けられ隣接する室内間に連通する開口部と、前記防火区画壁の片側で前記開口部の上部位置に載置された容器内に貯留された充填材と、前記充填材が落下した際にこれを受け止めるように前記開口部の下位置に配設された受け部材と、熱により前記容器の蓋を開放させて前記充填材を落下させるトリガー部材とから構成されること、
を特徴とする防火区画装置。
【請求項２】
充填材が、高粘性液体と、該高粘性液体よりも比重の大きな球体の骨材とであり、別々の容器に貯留されていること、
を特徴とする請求項１に記載の防火区画装置。
【請求項３】
開口部には、熱により起動されて充填材を落下させるトリガー部材で吊持された蓋部材が、当該開口部の上位置に配設されていること、
を特徴とする請求項１または２に記載の防火区画装置。
【発明の詳細な説明】
【０００１】
【発明の属する技術分野】
本発明は、防火区画装置に係り、詳しくは、例えば、食品等の生産工場で２室間を貫通して製品を搬送する場合に、前記両室の境に設けられる防火区画壁の開口部からの延焼を防止する防火区画装置に関する。
【０００２】
【従来の技術】
従来において、製品出荷側室と隣接する製品荷受側室等とを仕切る防火区画壁には、その一部に両室間に連通する開口部が設けられる。その開口部には、製品を搬送するための搬送装置が設けられるが、通常、火災時の延焼防止を考慮し、図７に示すように、前記開口部５を境にして、分断された搬送装置１４が対向して配設され、前記開口部５を例えば、上下方向に昇降するシャッター１８で完全に閉蓋する構成が知られている。
【０００３】
このような、シャッターによる開口部の閉鎖構造として、火災時の延焼を防止するものが知られている（例えば、特許文献１参照。）。
【０００４】
【特許文献１】
特開平８−２４７５１１号公報（第２−５頁、第１図）
【０００５】
【発明が解決しようとする課題】
しかしながら、前記開口部５で搬送装置１４を分断してしまうと、比較的形状の大きい製品１３やダンボール箱詰めした場合には、分断箇所の隙間を乗り越えることができて不都合がないが、小さな製品１３をそのまま搬送させる場合には、途中で分断させて隙間があると転倒したりする等の不都合があって、スムーズに搬送させることができない。よって、開口部を連続したベルトコンベアで搬送させる必要がある。そうすると、従来のように、開口部を完全にシャッター等で閉蓋させることができなくなる。そのような場合には、防火区画としての遮断機能が果たせなくなり、別途の大がかりな防火対策を講じなければならない。そこで、本発明に係る防火区画装置は、このような課題を解決するために提案されたものである。
【０００６】
【課題を解決するための手段】
上記課題を解決するために、本発明に係る防火区画装置の要旨は、防火区画壁と、該防火区画壁の一部に設けられ隣接する室内間に連通する開口部と、前記防火区画壁の片側で前記開口部の上部位置に載置された容器内に貯留された充填材と、前記充填材が落下した際にこれを受け止めるように前記開口部の下位置に配設された受け部材と、熱により前記容器の蓋を開放させて前記充填材を落下させるトリガー部材とから構成されることである。
【０００７】
前記充填材が、高粘性液体と、該高粘性液体よりも比重の大きな球体の骨材とであり、別々の容器に貯留されていること、；
また、前記開口部には、熱により起動されて充填材を落下させるトリガー部材で吊持された蓋部材が、当該開口部の上位置に配設されていることを含むものである。
【０００８】
本発明に係る防火区画装置によれば、火災発生時において、開口部から炎が隣接した隣の部屋に吹き込んで延焼のおそれがある場合に、吹き込んだ炎の熱によりトリガー部材が起動されて、容器の蓋が解放され、それに貯留されていた充填材が落下して受け部材の上に落下して溜まり、前記開口部を塞ぐ。これにより、開口部からの炎の吹き込みが無くなり、延焼を免れるものである。この防火区画壁が、防火壁としての機能を果たすことになる。
また、前記充填材が、高粘性液体と、該高粘性液体よりも比重の大きな球体の骨材とであり、別々の容器に貯留されていること、更に、前記開口部には、熱によって起動され前記充填材を落下させるトリガー部材で吊持された蓋部材が、当該開口部の上位置に配設されていることにより、炎の延焼を自動的に防止することになる。
【０００９】
【発明の実施の形態】
次に、本発明に係る防火区画装置１について、図面を参照して説明する。なお、発明の理解を容易にするため、従来例に対応する部分には従来例と同一の符号を付けて説明する。
【００１０】
前記防火区画装置１は、図１に示すように、防火区画壁２と、該防火区画壁２の一部に設けら隣接する室内、製品発送側室３，製品荷受側室４間に連通する開口部５と、前記防火区画壁２の片側（製品荷受側室４側）で前記開口部５の上部位置に支持金物１９によって載置された容器であるホッパー６ａ，６ｂ及びホッパー７ａ，７ｂ，７ｃ，７ｄと、前記ホッパー６ａ，６ｂ内に貯留された大小多数個の充填材８と、前記ホッパー７ａ〜７ｄ内に貯留された充填材７と、前記充填材７と充填材８とが落下した際にこれを受け止めるように前記開口部５の下位置に配設され支持金物２０で支持される受け部材９と、熱の影響により前記ホッパー６ａ，６ｂの蓋６ｃを開放させて前記充填材７及び充填材８とを落下させる、例えば、ヒューズ等のトリガー部材１０とから構成される。
【００１１】
前記充填材７は、高粘性液体である、例えば、ゼラチンやプラスチックなどである。また、前記充填材８は、前記高粘性液体よりも比重の大きい球体の骨材で、その粒径の大きなものと小さなものとで構成されている。この粒径構成比は、固有の隙間を最密・有効に塞ぐ、最適な数値のものを選ぶ。この方が、開口部５の隙間を緻密に塞ぐのに好適である。
【００１２】
前記開口部５の片側には、ヒューズ等のトリガー部材１１で吊持された金属製平板等の不燃性の蓋部材１２が、前記開口部５の上位置に配設されている。図２に示すように、蓋部材１２における下部の平坦部１２ａは、搬送装置１４の幅に合わせてある。
【００１３】
前記開口部５には、製品１３を、例えば、製品発送側室３から製品荷受側室４に搬送するベルトコンベア等の搬送装置１４が連通して設けられている。なお、通常、製品発送側室３がクリーンルームの場合は、塵埃等が製品荷受側室４から侵入しないように、製品発送側室３側の気圧が高くなるように設定されている。
【００１４】
前記充填材７と充填材８とは、球状骨材の充填材８が先に受け部材９に落下し、その後に、高粘性液体の充填材７が落下するように設定されている。なお、ホッパー６ａ，６ｂに貯留される充填材８と、ホッパー７ａ，７ｂ，７ｃ，７ｄに貯留される充填材７とは、開口部５の周辺を十分に覆うように、余裕のある量が貯留されるものである。
【００１５】
前記ホッパー６ａ，６ｂと受け部材９との間にも、トリガー部材１５によって吊持された閉鎖部材１６がある。図１の紙面垂直方向の手前側と奥側には、図２に示すように、予め不燃性で平板状の閉鎖部材１７がある。
【００１６】
このように構成される防火区画装置１によれば、例えば、図３乃至図４に示すように、製品発送側室３側で火災が発生したとき、火災感知装置等によりベルトコンベアの搬送装置１４が駆動停止する。そして、火炎の熱により、所定の温度に達すると、トリガー部材１０，１１，１５が起動する。例えば、トリガー部材がヒューズの場合では、溶融して、充填材や閉鎖部材等の荷重により切断される。なお、トリガー部材１１，１５が先に切断され、後に、ホッパー６ａ，６ｂのトリガー部材１０が切断され、その後に、ホッパー７ａ〜７ｄのトリガー部材１０が切断される。更に、このトリガー構成以外に、火災感知により電動モータ等により自動的に開放する、又は手動で開放するトリガー機構によることも含む。
【００１７】
前記トリガー部材が、それぞれ順に溶融して起動されたことで、図５乃至図６に示すように、まず、蓋部材１２と閉鎖部材１６が落下して、閉鎖部材１７と共に大きな容器を形成し、その後、ホッパー６ａ，６ｂの蓋６ｃが開放されて、充填材８が落下し、受け部材９に溜まる。前記充填材８が溜まった上に、ホッパー７ａ〜７ｄから落下した充填材７が堆積する。これにより、前記充填材８による骨材間の隙間が埋められ、且つ、表面積の摩擦抵抗でこの充填材７の流動が停止し、安定する。
【００１８】
これにより、開口部５が閉蓋されることになり、防火区画が形成されて、製品発送側室３から製品荷受側室４への延焼が免れるものである。前記充填材８は熱容量の大きな不燃性の骨材であるので、火の勢いを抑制して加熱延焼を防止すると共に開口部５を塞ぐことになる。前記充填材７は固化することが無く、火災消火後に撤去復元されて、充填材８とともに再利用される。
【００１９】
このような、防火区画装置１を防火区画壁２に備えることで、この防火区画壁が防火壁としての作用をするようになる。そして、前記トリガー部材を新しく交換し、ホッパー６ａ，６ｂには充填材８が、ホッパー７ａ〜７ｄには充填材７が、各々必要量で貯留される。この実施例の他に、前記充填材を充填材８のみとすることができる。また、前記充填材８ｇが、乾いた砂や砂利の組合わせ等とすることができ、その場合には高粘性液体の充填材７は不要とする。
【００２０】
【発明の効果】
上記説明したように、本発明に係る防火区画装置は、防火区画壁と、該防火区画壁の一部に設けられ隣接する室内間に連通する開口部と、前記防火区画壁の片側で前記開口部の上部位置に載置された容器内に貯留された粘性液体及び球状体と、前記粘性体と球状体とが落下した際にこれを受け止めるように前記開口部の下位置に配設された受け部材と、熱により前記容器の蓋を開放させて前記充填材を落下させるトリガー部材とから構成されるので、火災時に、開口部を自動的に且つ迅速に閉蓋し、隣室への延焼を防ぐと言う優れた効果を奏するものである。また、防火区画壁を防火壁としての作用を付加するものである。
【００２１】
前記充填材が、高粘性液体と、該高粘性液体よりも比重の大きな球体の骨材とであり、別々の容器に留されているので、開口部を前記骨材の充填材で効率的に塞ぎ、更に、前記高粘性液体の充填材で前記骨材の間隙を塞ぐとこととなり、区画壁の開口部を完全に塞いで火災の延焼を防止することができる。また、開口部には、熱によって起動され充填材を落下させるトリガー部材で吊持された蓋部材が、前記開口部の上位置に配設されているので、火災時に、その火炎の熱により自動的に開口部を塞ぐことができるようになる。
【図面の簡単な説明】
【図１】本発明に係る防火区画装置１の概略断面図と、一部平面図を含むものである。
【図２】同本発明に係る防火区画装置１の正面図である。
【図３】同火災発生時の様子を説明する説明図である。
【図４】同火災発生時の様子を説明する説明図である。
【図５】同火災発生により、開口部５が防火区画装置１の充填材により閉蓋された状態を示す断面図である。
【図６】同火災発生により、開口部５が防火区画装置１の充填材により閉蓋された状態を示す正面図である。
【図７】従来例に係る防火区画装置の概略斜視図（Ａ）と断面図（Ｂ）である。
【符号の説明】
１            防火区画装置、  ２          防火区画壁、
３            製品発送側室、  ４          製品荷受側室、
５            開口部、
６ａ，６ｂ    ホッパー、
６ｃ          蓋、            ７          充填材、
７ａ〜７ｄ    ホッパー、
８            充填材、        ９          受け部材、
１０，１１    トリガー部材、  １２        蓋部材、
１２ａ        平坦部、        １３        製品、
１４          搬送装置、      １５        トリガー部材、
１６          閉鎖部材、      １７        閉鎖部材、
１８          シャッター、
１９，２０    支持金物。
【図１】
2005013569.tif 000003
【図２】
2005013569.tif 000004
【図３】
2005013569.tif 000005
【図４】
2005013569.tif 000006
【図５】
2005013569.tif 000007
【図６】
2005013569.tif 000008
【図７】
2005013569.tif 000009